(57)【要約】      （修正有）【課題】階段での転落防止のため、摩擦抵抗を有する滑り止めと蓄光体を使用して、暗い所や濡れている所でも有効な蓄光滑り止め体を提供する。【解決手段】床１の上面に、蓄光滑止め体２を設ける。該蓄光滑止め体２は、滑止め層が、接着剤、又は両面テープ等により構成された接着層４を介して床１に固定される。さらに、前記滑止め層は、結合樹脂部５と滑止め粒子６により構成する。次に前記滑止め粒子６は、細かく砕いた石材、金属、アルミナ等の非金属材料又は、ホワイトアランダム等を用いる。前記滑止め層の上面には、蓄光層７を設け、該蓄光層７には高輝度のアルミン酸ストロンチウム蓄光体等を使用する。【選択図】図２
0003156653.tif 000002
【実用新案登録請求の範囲】
【請求項１】
床、階段の上面には、蓄光滑止め体が、固定されており、蓄光滑止め体の滑止め層は、結合樹脂部と滑止め粒子により構成され、結合樹脂部の材料は合成樹脂により構成され、滑止め粒子を分散結合し、前記滑止め層の上面には、蓄光層が設けられ、該蓄光層は、高輝度のアルミン酸ストロンチウム蓄光体を使用したことを特徴とする蓄光滑止め体。
【請求項２】
滑止め層の上面に滑止め蓄光層が設けられ、前記滑止め蓄光層は、蓄光樹脂部と滑止め粒子により構成され、蓄光樹脂部の内部に、滑止め粒子を分散結合し、滑止め効果を高めたことを特徴とする蓄光滑止め体。
【請求項３】
蓄光滑止め体は、緊急時の退避方向、又は誘導案内方向を示す形状となっており、標識効果も有していることを特徴とする請求項１、又は請求項２記載の蓄光滑止め体。
【請求項４】
蓄光層の上面、又は滑止め蓄光層の上面にトップコート層を設け、耐水性の強化、及び／又は炭酸ガス防止効果を有していることを特徴とする請求項１、又は請求項２、又は請求項３記載の蓄光滑止め体。
【考案の詳細な説明】
【技術分野】
【０００１】  本考案は、床、階段等に用いる蓄光滑止めに関する。
【背景技術】
【０００２】  従来より、摩擦抵抗を有する滑り止めが用いられているが、床面が滑ったり、階段での転落等が多発している。特に、暗い所や、濡れている所において滑りやすい状況があり、足が滑って被災する例が多く発生している。【０００３】  しかるに、灯具等を用いると、停電時には役に立たず、又電気代の維持費がかかり地球温暖化の原因ともなるため、消費電力の掛からない対策が望まれていた。
【考案の開示】
【考案が解決しようとする課題】
【０００４】  本考案は、これらの問題を解消しようとする滑止めを提供するものである。
【課題を解決するための手段】
【０００５】  床の上面には、蓄光滑止め体が、固定されており、蓄光滑止め体の滑止め層は、結合樹脂部と滑止め粒子により構成され、結合樹脂部の材料は合成樹脂により構成され、滑止め粒子を分散結合し、前記滑止め層の上面には、蓄光層が設けられ、該蓄光層は、高輝度のアルミン酸ストロンチウム蓄光体を使用したことを特徴とする蓄光滑止め体を提供する。【０００６】  滑止め層の上面に滑止め蓄光層が設けられ、前記滑止め蓄光層は、蓄光樹脂部と滑止め粒子により構成され、蓄光樹脂部の内部に、滑止め粒子を分散結合し、滑止め効果を高めたことを特徴とする蓄光滑止め体を提供する。【０００７】  蓄光滑止め体は、緊急時の退避方向、又は誘導案内方向を示す形状となっており、標識効果も有していることを特徴とする請求項１、又は請求項２記載の蓄光滑止め体を提供する。【０００８】  蓄光層の上面、又は滑止め蓄光層の上面にトップコート層を設け、耐水性の強化、及び／又は炭酸ガス防止効果を有していることを特徴とする請求項１、又は請求項２、又は請求項３記載の蓄光滑止め体を提供する。
【考案の効果】
【０００９】  （１）蓄光層７は、最近発達してきた高輝度のアルミン酸ストロンチウム蓄光体等を使        用する。これは、従来からの硫化亜鉛系蓄光体は、発光が暗い、発光時間が短い        といった欠点があったのに対し、その１００倍近い蓄光を発揮し、暗闇では８時        間以上の持続性を持ち、屋外でも使用可能である。
（２）滑止め蓄光層８は、蓄光樹脂部９と滑止め粒子１０により構成されているため、        滑止め層３だけでなく、蓄光樹脂部９の内部にも、滑止め粒子９を結合含有させ        て滑止め効果を高めている。
（３）蓄光層７の上面、又は滑止め蓄光層８の上面にトップコート層１１を設けことに        より耐水性を強化する効果、及び炭酸ガス防止効果を有しており、強固な蓄光滑        り止め２とすることができる。
（４）蓄光滑止め体１２は、緊急時の退避方向、又は誘導案内方向を示す矢印形状とな        っており、更に安全効果を高め、標識効果も有する滑り止め体である。
（５）蓄光滑止め体１３は、直接床に設置したもので簡略化した構造の蓄光滑止めを提        供する。
【図面の簡単な説明】
【００１０】
【図１】本考案の実施例の全体斜視図である。
【図２】図１のＡ−Ａ断面の拡大断面図である。
【図３】実施例２の拡大断面図である。
【図４】実施例３の拡大断面図を示すものである。
【図５】実施例３の拡大断面図を示すものである。
【図６】床１、及び階段面に蓄光滑止め体２を設置した概略斜視図である。
【図７】床１に、蓄光滑止め体１３を設置した概略斜視図である。
【考案を実施するための最良の形態】
【００１１】  本考案は、考案の効果に前述した如く、滑り止めに蓄光効果を有する蓄光体を結合したことにより、暗い場所においても安全な極めて実用的な滑止めを提供するものである。【００１２】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【実施例１】
【００１３】  以下、本考案の実施例について、図面を参照しながら説明する。
図１は、本考案の実施例の全体斜視図であり、図２はそのＡ−Ａ断面の拡大断面図である。【００１４】  床１の上面には、蓄光滑止め体２が設けられている。
本実施例の蓄光滑止め体２は、滑止め層３が、接着剤、又は両面テープ等により構成された接着層４を介して床１に固定されている。
前記滑止め層３は、結合樹脂部５と滑止め粒子６により構成されている。【００１５】  結合樹脂部５は、例えば、ウレタン樹脂、エポキシ樹脂、アクリル樹脂、ポリエチレン、ポリプロピレン、ポリ塩化ビニール樹脂、ポリカーボネート樹脂等の合成樹脂により構成される。又、硬化させる分類としては、有機溶剤型、水溶剤型、紫外線硬化型、電子線硬化型、熱可塑性型等が適用される。
また、ガラス繊維等の添加剤、着色剤等を添加してもよい。【００１６】  前記結合樹脂部５に滑止め粒子６を分散させる場合色々な形態が考えられ、滑止め粒子６を結合樹脂部５に埋設される場合や、図２に示すように滑止め粒子６を一部表面から露出させて構成してもよい。【００１７】  次に前記滑止め粒子６は、細かく砕いた石材、金属、アルミナ等の非金属材料又は、ホワイトアランダム等が用いられる。【００１８】  滑止め粒子６の大きさは、ＪＩＳ規格での＃１２〜＃１２０の粒径のものが選ばれる。これは＃１２０より小さいと滑止め効果が出にくくない、又＃１２より大きいと粒子が固着しにくくなるためである。又、滑止め粒子６の分布密度は、０．００５〜０．０５ｇ／ｃｍ２の範囲が好ましい。
前記滑止め層３は、静電塗装法、重力塗装法、吹付塗装法等の塗装法や、印刷により形成することができる。又、複数回塗り重ねて構成するとさらに良い効果が期待できる。【００１９】  前記滑止め層３の上面には、蓄光層７が設けられる。該蓄光層７は、最近発達してきた高輝度のアルミン酸ストロンチウム蓄光体等を使用する。
これは、従来からの硫化亜鉛系蓄光体は、発光が暗い、発光時間が短いといった欠点があったのに対し、その１００倍近い蓄光を発揮し、暗闇では８時間以上の持続性を持ち、屋外でも使用可能である。
化学組成が、アルミン酸ストロンチウム＋ユウロビウム＋ジスプロシウム等で構成される。【００２０】  暗闇で発光、次第に暗くなってくる性質をもっているが、励起すると再び光り出し、
光の照射→発光→光の照射→発光を何回でも半永久的に繰り返すことができる。
放射性物質を含まない安全で、環境に考慮された物質である。その製作は、ＪＩＳＺ９  １０７に準拠し製作されている。【００２１】  その１例として能登プロワークス株式会社（登録商標）製の商品名「ライティブコート」（登録商標）等が、その適合例である。【００２２】  又、硬化させる分類としては、有機溶剤型、水溶剤型、紫外線硬化型、電子線硬化型、熱可塑性型等が適用される。
また、ガラス繊維等の添加剤、着色剤等を添加してもよい。
【実施例２】
【００２３】  図３は、実施例２の拡大断面図を示すものである。
滑止め層３の上面に滑止め蓄光層８が設けられ、前記滑止め蓄光層８は、蓄光樹脂部９と滑止め粒子１０により構成されている。
従って滑止め層３だけでなく、蓄光樹脂部９の内部にも、滑止め粒子９を結合含有させて滑止め効果を高めている。【００２４】  蓄光樹脂部９は、例えば、ウレタン樹脂、エポキシ樹脂、アクリル樹脂、ポリエチレン、ポリプロピレン、ポリ塩化ビニール樹脂、ポリカーボネート樹脂等の合成樹脂に蓄光顔料を含有させている。
又、硬化させる分類としては、有機溶剤型、水溶剤型、紫外線硬化型、電子線硬化型、熱可塑性型等が適用される。
また、ガラス繊維等の添加剤、着色剤等を添加してもよい。【００２５】  前記蓄光樹脂部９に滑止め粒子１０を分散させる場合、色々な形態が考えられ、図３に示すように滑止め粒子１０を結合樹脂部９に埋設される場合や、滑止め粒子１０を一部表面から露出させて構成してもよい。【００２６】  次に滑止め粒子１０は、細かく砕いた石材、金属、アルミナ等の非金属材料又は、ホワイトアランダム等が用いられる。【００２７】  滑止め粒子１０の大きさは、滑止め層３の粒子径に対し小径のものが望ましい。粒子径の範囲は、滑止め層３の粒子径と同範囲でもよくＪＩＳ規格での＃１２〜＃１２０の粒径のものが選ばれる。これは＃１２０より小さいと滑止め効果が出にくくない、又＃１２より大きいと粒子が固着しにくくなるためである。
又、滑止め粒子６の分布密度は、０．００５〜０．０５ｇ／ｃｍ２の範囲が好ましい。
前記滑止め蓄光層８は、静電塗装法、重力塗装法、吹付塗装法等の塗装法や、印刷により形成することができる。又、複数回塗り重ねて構成するとさらに良い効果が期待できる。【００２８】  蓄光樹脂部９は、同様に高輝度のアルミン酸ストロンチウム蓄光体等を使用する。
化学組成が、アルミン酸ストロンチウム＋ユウロビウム＋ジスプロシウム等で構成される。
暗闇で発光、次第に暗くなってくる性質をもっているが、励起すると再び光り出し、
光の照射→発光→光の照射→発光を何回でも半永久的に繰り返すことができる。
放射性物質を含まない安全で、環境に考慮された物質である。その製作は、ＪＩＳＺ９  １０７に準拠し製作されている。【００２９】  その１例として能登プロワークス株式会社（登録商標）製の商品名「ライティブコート」（登録商標）等が、その適合例である。【００３０】  又、硬化させる分類としては、有機溶剤型、水溶剤型、紫外線硬化型、電子線硬化型、熱可塑性型等が適用される。
また、ガラス繊維等の添加剤、着色剤等を添加してもよい。
【実施例３】
【００３１】  図４、図５は、実施例３の拡大断面図を示すものである。
本実施例は、実施例１の蓄光層７の外面、又は実施例２の滑止め蓄光層８の上面にトップコート層１１を設けている。
このトップコート層１１は、耐水性を強化する効果、及び炭酸ガス防止効果を有しており、加水分解及び、炭酸ガスによるガス分解がさらに起きにくい強固な蓄光滑り止め体２とすることができる。
【実施例４】
【００３２】  図６は、床１、及び階段面に蓄光滑止め体２を設置した概略斜視図である。
特に、蓄光滑止め体１２は、緊急時の退避方向、又は誘導案内方向を示す矢印形状となっており、更に安全効果を高め、標識効果も有する滑り止め体である。退避方向、又は誘導案内方向を示す形状は、種々の適合した形状に変えることができる。
【実施例５】
【００３３】  図７は、床１に、蓄光滑止め体１３を設置した概略斜視図である。
該蓄光滑止め体１３は、簡略化した構造の蓄光滑止めを示すもので直接床に設置したものである。
この蓄光滑止め体１３は、前記滑り止め層３を設けずに、前記滑止め蓄光層８を設置したものである。床への取付は、接着層４を設けても、又は蓄光樹脂部９の接着力で取り付けてもよい。
又、前述した図３、又は図４、又は図５の断面構造のいずれを採用することも可能である。
【産業上の利用可能性】
【００３４】  本考案の活用例としては、以上説明したように、床や階段における滑り止め効果と蓄光効果により暗い場所においても安全性を大幅に高め、災害防止に大きく貢献できることと、新商品による産業の発展に貢献できる、きわめて実用的な考案である。
【符号の説明】
【００３５】１    床
２    蓄光滑止め体
３    滑止め層
４    接着層
５    結合樹脂部
６    滑止め粒子
７    蓄光層
８    滑止め蓄光層
９    蓄光樹脂部
１０  滑止め粒子
１１  トップコート層
１２、１３  蓄光滑止め体
【図１】
0003156653.tif 000003
【図２】
0003156653.tif 000004
【図３】
0003156653.tif 000005
【図４】
0003156653.tif 000006
【図５】
0003156653.tif 000007
【図６】
0003156653.tif 000008
【図７】
0003156653.tif 000009